(57)【要約】【課題】不審者に接触した子供の安全を確保する。【解決手段】防犯用携帯端末２０は、塗料噴射装置１及び携帯端末１０を備える。塗料噴射装置１は、シリンダ２、噴射口３及びストラップ４を備える。噴射口３は、シリンダ２の内部から塗料を噴射する口である。シリンダ２は、スプレー缶５、噴射スイッチ６及びストッパ７を備える。スプレー缶５は、シリンダ２の内面に沿って移動し、塗料を噴射する機能を有する。本体５１は、塗料の容器である。ノズル５２は、本体５１に挿入され、ガイド５３とともに本体５１側に変位すると、先端から塗料を噴射する。噴射スイッチ６は、塗料を噴射させるスイッチであり、ストラップ４が噴射口３から引き抜かれた後、操作可能になる。ガイド６１は、噴射スイッチ６とともに変位し、ガイド５３に作用を及ぼす。ストッパ７は、スプレー缶５が噴射口３側の所定の位置まで移動した場合に、その位置から元に戻らないようにする。【選択図】図１
2010009137.tif 000002
【特許請求の範囲】
【請求項１】
塗料を噴射する塗料噴射装置を備えるとともに、
現在位置を発信する機能を有する
ことを特徴とする防犯用携帯端末。
【請求項２】
請求項１に記載の防犯用携帯端末であって、
前記塗料噴射装置は、
当該塗料噴射装置の外部から操作可能な操作部材と、
前記操作部材が操作されると、当該操作に連動して当該塗料噴射装置の外面から突出する噴射スイッチと、
ノズルを有し、当該ノズルの変位によって当該ノズルから塗料を噴射するスプレー缶と、
を備え、
突出した前記噴射スイッチが押されると、それに応じて前記ノズルが変位することにより前記ノズルから塗料が噴射されるように構成された
ことを特徴とする防犯用携帯端末。
【請求項３】
請求項２に記載の防犯用携帯端末であって、
前記塗料噴射装置は、
前記ノズルに固定され、前記操作部材が接続される第１のガイドと、
前記噴射スイッチに固定される第２のガイドと、
前記操作部材が操作されるのに応じて前記スプレー缶を所定方向に移動可能にガイドするガイド部と、
前記操作部材が操作されることで、前記スプレー缶が所定位置まで移動すると、前記スプレー缶のその移動方向とは逆方向の移動を拘束するストッパと、
をさらに備え、
前記操作部材が操作されると、
前記操作部材により前記第１のガイドが引き上げられることで、
前記スプレー缶が前記所定方向に前記所定位置まで移動するとともに、
前記第１のガイドが前記第２のガイドに当接して、前記第２のガイドを前記噴射スイッチが前記塗料噴射装置の外面から突出するように変位させ、
前記噴射スイッチが押されると、
前記噴射スイッチの変位に伴って前記第２のガイドが前記第１のガイドに当接することにより、前記第１のガイドが変位し、
前記第１のガイドの変位に伴って前記ノズルが変位することにより、当該ノズルから塗料が噴射される
ことを特徴とする防犯用携帯端末。
【請求項４】
請求項２又は請求項３に記載の防犯用携帯端末であって、
前記操作部材が操作された場合、所定の信号を検知すると、
現在位置のデータを含み、救出要請の旨を示すメッセージを発信する
ことを特徴とする防犯用携帯端末。
【請求項５】
請求項２ないし請求項４のいずれか一項に記載の防犯用携帯端末であって、
前記操作部材が操作された場合、所定の信号を検知すると、
警報音を出力する
ことを特徴とする防犯用携帯端末。
【発明の詳細な説明】
【技術分野】
【０００１】
本発明は、防犯を目的として用いられる防犯用携帯端末に関する。
【背景技術】
【０００２】
従来、子供の居場所の位置に関する情報を取得するシステムについて、各所で技術開発や実証試験が行われている。それらの多くは、無線技術を適用したものであり、子供に携帯端末を持たせて、固定基地局との間で求められる携帯端末の現在位置の情報を通信回線経由でサーバが取得し、その取得した情報を保護者等がＷｅｂ等により閲覧するものである。携帯端末を用いた子供見守りシステムの例として、特許文献１には、下校中の児童が単独になる地点及び時刻を予測して保護者や学校関係者に事前に知らせ、その地点・時刻に児童を迎えに行くことを促す防犯システムが開示されている。
【特許文献１】特開２００７−１９３７１０号公報
【発明の開示】
【発明が解決しようとする課題】
【０００３】
しかしながら、保護者等は、子供の位置情報を取得するだけでは、子供が不審者に接触したか否かを把握することができない。また、携帯端末から救出要請を発信可能なシステムにおいても、保護者等が救出要請を受けてから現場に到着するまでに時間がかかり、対応が遅れてしまうことが予想される。
【０００４】
本発明は、上記課題を鑑みてなされたものであり、その主たる目的は、不審者に接触した子供の安全を確保することにある。
【課題を解決するための手段】
【０００５】
上記課題を解決するために、本発明は、防犯用携帯端末であって、塗料を噴射する塗料噴射装置を備えるとともに、現在位置を発信する機能を有することを特徴とする。  
この構成によれば、防犯用携帯端末の塗料噴射装置を用いることにより、不審者に接触した子供の安全を確保することができる。
【０００６】
また、本発明は、防犯用携帯端末であって、前記塗料噴射装置が、当該塗料噴射装置の外部から操作可能な操作部材と、前記操作部材が操作されると、当該操作に連動して当該塗料噴射装置の外面から突出する噴射スイッチと、ノズルを有し、当該ノズルの変位によって当該ノズルから塗料を噴射するスプレー缶とを備え、突出した前記噴射スイッチが押されると、それに応じて前記ノズルが変位することにより前記ノズルから塗料が噴射されるように構成されたことを特徴とする。  
この構成によれば、操作部材が操作されない限り、噴射スイッチが現れず操作できないので、子供に防犯用携帯端末を持たせても、そのままの状態ではいたずら等で塗料が噴射することがなく、安全である。そして、操作部材が操作されると、噴射スイッチが突出するので、その噴射スイッチを押すことによって塗料を噴射することができる。これによれば、不審者に接触したとき等、非常時又は緊急時にのみ、塗料噴射機能を利用することができる。
【０００７】
また、本発明は、防犯用携帯端末であって、前記塗料噴射装置が、前記ノズルに固定され、前記操作部材が接続される第１のガイドと、前記噴射スイッチに固定される第２のガイドと、前記操作部材が操作されるのに応じて前記スプレー缶を所定方向に移動可能にガイドするガイド部と、前記操作部材が操作されることで、前記スプレー缶が所定位置まで移動すると、前記スプレー缶のその移動方向とは逆方向の移動を拘束するストッパとをさらに備え、前記操作部材が操作されると、前記操作部材により前記第１のガイドが引き上げられることで、前記スプレー缶が前記所定方向に前記所定位置まで移動するとともに、前記第１のガイドが前記第２のガイドに当接して、前記第２のガイドを前記噴射スイッチが前記塗料噴射装置の外面から突出するように変位させ、前記噴射スイッチが押されると、前記噴射スイッチの変位に伴って前記第２のガイドが前記第１のガイドに当接することにより、前記第１のガイドが変位し、前記第１のガイドの変位に伴って前記ノズルが変位することにより、当該ノズルから塗料が噴射されることを特徴とする。  
この構成によれば、操作部材が操作されると、噴射スイッチが突出するとともに、スプレー缶が移動し、固定される。これによれば、塗料噴射装置の噴射スイッチを操作可能にすることができる。そして、噴射スイッチを押すことによって、ガイドの作用によりノズルが変位し、スプレー缶の当該ノズルから塗料を噴射させることができる。
【０００８】
また、本発明は、防犯用携帯端末であって、前記操作部材が操作された場合、所定の信号を検知すると、現在位置のデータを含み、救出要請の旨を示すメッセージを発信することを特徴とする。  
この構成によれば、操作部材を操作することによって、親や警察に現在の位置及び救出要請の旨を通知することができる。
【０００９】
また、本発明は、防犯用携帯端末であって、前記操作部材が操作された場合、所定の信号を検知すると、警報音を出力することを特徴とする。  
この構成によれば、操作部材を操作することによって、周囲に警報音を発信することができる。
【００１０】
なお、その他、本願が開示する課題及びその解決方法は、発明を実施するための最良の形態の欄、及び図面により明らかにされる。
【発明の効果】
【００１１】
本発明によれば、不審者に接触した子供の安全を確保することができる。
【発明を実施するための最良の形態】
【００１２】
以下、図面を参照しながら、本発明を実施するための最良の形態を説明する。  
本発明の実施の形態に係る防犯用携帯端末は、子供見守りシステムにおいて現在位置を通知する携帯端末に対して、緊急時に不審者等に向けて塗料を噴射する装置を付設したものである。これによれば、子供が不審者に接触したときに、単に現在位置を警察や親に通知するだけでなく、当該不審者を撃退する又は怯ませることによって、子供の安全を確保することができる。
【００１３】
≪装置の構成≫
図１〜図３は、防犯用携帯端末２０の構成及び塗料噴射装置１の機構の変化を示す図である。防犯用携帯端末２０は、塗料噴射装置１及び携帯端末１０を備える。塗料噴射装置１は、不審者等を撃退したり、怯ませたりするために塗料を噴射する装置である。携帯端末１０は、子供見守りシステムを構成するものとして、ＧＰＳ（Global Positioning System）や固定基地局等の機能によって現在位置を通知したり、不審者や周囲の人たちに対して警報音を鳴らしたりするものであり、携帯電話等によって実現される。
【００１４】
図１は、塗料噴射装置１の通常状態を示す図である。塗料噴射装置１は、子供が携帯する携帯端末１０と一体化されて常時利用可能になっており、シリンダ２及び噴射口３を備える。噴射口３はシリンダ２の内部から塗料を噴射する口であり、噴射口３からストラップ４が出ており、塗料噴射装置１の外部から操作可能になっている。ストラップ４の紐が噴射口３から引かれると、塗料が噴射可能な状態になる。
【００１５】
シリンダ２は、円筒や角筒になっており、その内部にスプレー缶５、噴射スイッチ６及びストッパ７を備える。シリンダ２の円筒又は角筒の形状は、スプレー缶５の断面形状に整合する。
【００１６】
スプレー缶５は、その内部に塗料をためて、操作に応じて塗料を外部に噴射する機能を有し、シリンダ２の内面に沿って移動可能であり、本体５１、ノズル５２及びガイド５３を備える。本体５１は、塗料を収容する缶等の容器である。塗料は、例えば、クラックボールの内容物と同様の蛍光塗料である。塗料を不審者の着衣等に付着させることにより、後で当該不審者を特定しやすくなる。ノズル５２は、本体５１に挿入される管（パイプ）であり、図１に示す通常状態から本体５１側に変位すると、その先端から本体５１に収容された塗料を噴射するが、一方、図１に示す通常状態から本体５１の反対側には変位しないようになっている。ガイド５３は、ノズル５２に固定され、後述するように噴射スイッチ６のガイド６１からの作用を受けて本体５１側に変位し、それに伴ってノズル５２も本体５１側に変位する。また、ガイド５３はストラップ４に掛けられており、ストラップ４が噴射口３側に引っ張られると、ガイド５３も同じ方向に変位するが、さらにノズル５２及び本体５１も同じ方向に変位する。
【００１７】
噴射スイッチ６は、塗料を噴射させるために操作するスイッチであり、ガイド６１及び支点６２を備える。ガイド６１は、噴射スイッチ６に固定され、後述するように噴射スイッチ６が操作されると噴射スイッチ６とともに変位し、スプレー缶５のガイド５３を介してノズル２５を押し下げる。支点６２は、噴射スイッチ６の回転（変位）の中心軸となるものであり、例えば、シリンダ２と、噴射スイッチ６とを自在に開閉するヒンジによって実現される。
【００１８】
ストッパ７は、スプレー缶５が図１に示す通常状態から、図２に示す噴射口３側の所定の位置まで移動した場合に、その位置から元に戻らないようにスプレー缶５を固定するものであり、支点７１を備える。支点７１は、ストッパ７の回転（変位）の中心軸となるものであり、例えば、シリンダ２と、ストッパ７とを自在に開閉するヒンジによって実現される。なお、ストッパ７は、図示しないバネ等によってスプレー缶５側の方向に付勢されている。
【００１９】
≪塗料噴射時の動作≫
まず、図１に示す通常状態では、噴射スイッチ６が塗料噴射装置１の外面から出ていないため、噴射スイッチ６を操作することができないので、塗料が噴射することはない。
【００２０】
一方、図１の通常状態においてストラップ４がシリンダ２から引っ張られると、図２に示すように、ストラップ４に掛けられたスプレー缶５のガイド５３が噴射口３側に変位し、ノズル５２及び本体５１も同様に変位する。そして、ガイド５３が噴射スイッチ６のガイド６１に当たって押し上げることで、噴射スイッチ６が支点６２を中心に図２中反時計回りに回転（変位）する。そして、噴射スイッチ６のガイド６１が噴射口３側の方向に支点６２から最も遠い位置まで回動すると、それ以上動かなくなり、それに伴ってスプレー缶５も噴射口３側には変位しなくなる。そのとき、スプレー缶５側の方向に付勢されているストッパ７が本体５１の底部に入り込み、本体５１が元の位置に戻らなくなる。すなわち、ストッパ７は、スプレー缶５の噴射口３側とは逆側の向きの移動を拘束する。このようにして、本体５１は、噴射口３側にもその反対側にも変位しないように固定される。
【００２１】
この状態でさらにストラップ４が引っ張られると、ストラップ４の掛けられているガイド５３が固定されているので、ストラップ４の紐が切れることになる。また、噴射スイッチ６が所定の位置まで変位してシリンダ２の外面から突出するので、噴射スイッチ６を押す操作が可能になる。これは、塗料噴射装置１が塗料を噴射可能な状態になったことを意味する。この構成では、塗料噴射装置１において噴射口３及び噴射スイッチ６がすぐ近くに位置しているので、塗料の噴射方向を間違えることも少ない。
【００２２】
なお、上記の説明では、子供が防犯用携帯端末２０からストラップ４を引くものとしたが、例えば、ストラップ４をランドセル等に付けておいて、緊急時に防犯用携帯端末２０の方を強く引っ張るようにしてもよい。
【００２３】
図３は、噴射スイッチ６が押された状態を示す図である。図２の状態において噴射スイッチ６が押されると、噴射スイッチ６が図中反時計回り方向に回転し、それに伴ってガイド６１がガイド５３を介してノズル５２を本体５１側に押し下げる。これにより、ノズル５２の先端から本体５１の塗料が噴射される。その塗料は、さらに噴射口３から外部に放出される。
【００２４】
≪携帯端末の構成と処理≫
図４は、携帯端末１０の構成を示す図である。携帯端末１０は、通信部１１、表示部１２、入力部１３、処理部１４、記憶部１５及び警報部１６を備える。通信部１１は、ネットワークを介して他の装置とＩＰ（Internet Protocol）通信を行う部分であり、例えば、無線アンテナやＮＩＣ（Network Interface Card）等によって実現される。表示部１２は、処理部１４からの指示によりデータを表示する部分であり、例えば、液晶ディスプレイ（ＬＣＤ：Liquid Crystal Display）等によって実現される。入力部１３は、オペレータがデータを入力する部分であり、例えば、操作ボタンやタッチペン等によって実現される。処理部１４は、各部間のデータの受け渡しを行うととともに、携帯端末１０全体の制御を行うものであり、ＣＰＵ（Central Processing Unit）が所定のメモリに格納されたプログラムを実行することによって実現される。記憶部１５は、処理部１４からデータを記憶したり、記憶したデータを読み出したりするものであり、例えば、フラッシュメモリやハードディスク装置等の不揮発性記憶装置によって実現される。警報部１６は、処理部１４からの指示により警報音を発する部分であり、例えば、スピーカがアラーム音を鳴らすことによって実現される。
【００２５】
ここで、燃料噴射装置１のストラップ４が引っ張られた場合の携帯端末１０の処理について説明する。ストラップ４が引っ張られた場合、携帯端末１０は、救出要請メッセージを送信するとともに、警報音を出力する。詳細には、例えば、予め２つの接点の間にストラップ４の先端が挟まっているものとする（図示せず）。ストラップ４が引っ張られると、２つの接点が閉じて、携帯端末１０の処理部１４に入っている所定の信号線がオンになる。処理部１４は、その信号線がオンになったことを検知すると、まず、通信部１１に救出要請メッセージの送信を指示する。次に、警報部１６に警報音の出力を指示する。処理部１４からの指示を受けると、通信部１１は、ＧＰＳ機能等により検知した現在位置のデータを含む救出要請メッセージを警察のシステムや親の携帯電話に送信する。また、警報部１６は、警報音を発する。
【００２６】
以上説明した本発明の実施の形態によれば、子供が不審者等と接触した場合に、防犯用携帯端末２０の燃料噴射装置１から出ているストラップ４を強く引くことにより、噴射スイッチ６が出てきて、同時にスプレー缶５が噴射口３側に移動し、ストッパ７により固定される。これにより、噴射スイッチ６が操作可能な状態になる。換言すれば、防犯用携帯端末２０の不審者撃退機能が封印されている状態を解除することができる。また、ストラップ４を引けばよいので、簡単に扱うことができ、子供が使いやすい。
【００２７】
また、ストラップ４の引き抜きによって、携帯端末１０から警報音を出力するとともに、防犯用携帯端末２０（すなわち、子供）の現在位置を含む救出要請メッセージを警察のシステムや親の携帯電話に送信することができる。
【００２８】
そして、出てきた噴射スイッチ６を押し下げることによって、スプレー缶５にためられている塗料を噴射することができる。これによれば、塗料を不審者の身体や着衣等に付着させることにより、不審者を撃退したり、怯ませたりすることができ、さらに後になっても当該不審者を特定することが可能になる。また、電動でなく、機械仕掛けになっているので、電池切れを気にすることなく、塗料噴射装置１を利用することができる。さらに、噴射口３と、噴射スイッチ６とが隣接しているので、塗料噴射の方向を簡単に定めることができ、子供が使いやすい。
【００２９】
≪その他の実施の形態≫
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００３０】
（１）ストラップ４が噴射口３からではなく、別の箇所から出ている場合には、塗料の噴射の障害にならないので、ストラップ４を引いたときに必ずしもその紐が切れる必要はない。
【００３１】
（２）ストラップ４を引いたときに、必ずしもスプレー缶５が噴出口３側に移動する必要はなく、少なくとも噴射スイッチ６が塗料噴射装置１の外面から突出して操作可能になればよい。例えば、噴射スイッチ６が支点６２とともにスプレー缶５側に移動するような機構であってもよい。
【００３２】
（３）上記実施の形態によれば、不審者を撃退する又は怯ませるものとしてスプレー缶５の塗料を示したが、別のものであってもよい。例えば、スタンガン、催涙スプレー、自動破裂するクラックボール等が考えられる。
【図面の簡単な説明】
【００３３】
【図１】防犯用携帯端末２０の構成及び塗料噴射装置１の通常状態を示す図である。
【図２】防犯用携帯端末２０の構成及び塗料噴射装置１のストラップ４がシリンダ２から引き抜かれた状態を示す図である。
【図３】防犯用携帯端末２０の構成及び塗料噴射装置１の噴射スイッチ６が押された状態を示す図である。
【図４】携帯端末１０の構成を示す図である。
【符号の説明】
【００３４】
１    塗料噴射装置
２    シリンダ（ガイド部）
３    噴射口
４    ストラップ（操作部材）
５    スプレー缶
５１  本体
５２  ノズル
５３  ガイド（第１のガイド）
６    噴射スイッチ
６１  ガイド（第２のガイド）
６２  支点
７    ストッパ
７１  支点
１０  携帯端末
１１  通信部
１４  処理部
１６  警報部
【図１】
2010009137.tif 000003
【図２】
2010009137.tif 000004
【図３】
2010009137.tif 000005
【図４】
2010009137.tif 000006